(57)【要約】【課題】低コストで光触媒による脱臭効率を向上させることができる車両用空気調和装置の提供。【解決手段】内部に空気流路２ａを有するケース２と、空気流路２ａに空気の流れを形成する送風機９と、空気流路２ａに配置された集塵フィルタ８と、空気流路２ａにおいて集塵フィルタ８の下流側に配置され、光触媒を担持した脱臭フィルタ１１と、空気流路２ａにおいて脱臭フィルタ１１の下流側に配置され、光触媒を活性化する光Ｌを照射する光源１２と、集塵フィルタ８に担持され、脱臭フィルタ１１を通り抜けた光Ｌ２を、脱臭フィルタ１１に向けて反射する反射材１３と、を備える車両用空気調和装置Ｓを採用する。【選択図】図１
2017171081.tif 000002
【特許請求の範囲】
【請求項１】
内部に空気流路を有するケースと、
前記空気流路に空気の流れを形成する送風機と、
前記空気流路に配置された集塵フィルタと、
前記空気流路において前記集塵フィルタの下流側に配置され、光触媒を担持した脱臭フィルタと、
前記空気流路において前記脱臭フィルタの下流側に配置され、前記光触媒を活性化する光を照射する光源と、
前記集塵フィルタに担持され、前記脱臭フィルタを通り抜けた前記光を、前記脱臭フィルタに向けて反射する反射材と、を備える、ことを特徴とする車両用空気調和装置。
【発明の詳細な説明】
【技術分野】
【０００１】
本発明は、車両用空気調和装置に関するものである。
【背景技術】
【０００２】
車両用空気調和装置として、下記特許文献１には、空気吸気口から浄化空気吐出口に向かって空気流れを形成する空気通路に、光触媒を担持した脱臭フィルタと、該脱臭フィルタの下流側に前記脱臭フィルタの光触媒を活性化する光を照射する光源及び前記空気流れを形成するブロワとを配置した光触媒脱臭装置が開示されている。
【先行技術文献】
【特許文献】
【０００３】
【特許文献１】特開２００５−８７４６５号公報
【発明の概要】
【発明が解決しようとする課題】
【０００４】
上記従来技術は、脱臭フィルタの下流側に配置された光源から光を照射するため、脱臭フィルタの片面にのみ光が照射され、光触媒による脱臭効率が悪いという問題がある。脱臭フィルタの両面に対して光を照射するためには、脱臭フィルタの上流側と下流側の両方に光源を設ける必要があり、コストがかかる。
【０００５】
本発明は、上記問題点に鑑みてなされたものであり、低コストで光触媒による脱臭効率を向上させることができる車両用空気調和装置の提供を目的とする。
【課題を解決するための手段】
【０００６】
上記の課題を解決するために、本発明は、内部に空気流路を有するケースと、前記空気流路に空気の流れを形成する送風機と、前記空気流路に配置された集塵フィルタと、前記空気流路において前記集塵フィルタの下流側に配置され、光触媒を担持した脱臭フィルタと、前記空気流路において前記脱臭フィルタの下流側に配置され、前記光触媒を活性化する光を照射する光源と、前記集塵フィルタに担持され、前記脱臭フィルタを通り抜けた前記光を、前記脱臭フィルタに向けて反射する反射材と、を備える、ことを特徴とする車両用空気調和装置を採用する。
【発明の効果】
【０００７】
本発明においては、空気流路において脱臭フィルタの下流側に配置された光源から光を照射し、脱臭フィルタの一方の面に光を照射すると共に、その脱臭フィルタを通り抜けた光を、脱臭フィルタの上流側に配置された集塵フィルタに担持された反射材で反射することで、脱臭フィルタの他方の面にも光を照射する。これにより、光源を追加することなく、脱臭フィルタの両面に光を照射し、光触媒を活性化させることができるため、脱臭効率を向上させることができる。
このように、本発明によれば、低コストで光触媒による脱臭効率を向上させることができる車両用空気調和装置が得られる。
【図面の簡単な説明】
【０００８】
【図１】本実施形態の車両用空気調和装置の概略構成を示す断面図である。
【発明を実施するための形態】
【０００９】
以下、図面を参照して、本発明に係る車両用空気調和装置の一実施形態について説明する。なお、以下の図面において、各部材を認識可能な大きさとするために、各部材の縮尺を適宜変更している。
【００１０】
図１は、本実施形態の車両用空気調和装置Ｓの概略構成を示す断面図である。
車両用空気調和装置Ｓは、例えば、車室内前部の計器盤内方に搭載される。車両用空気調和装置Ｓは、内外気切替装置１を備えている。内外気切替装置１は、内部に空気流路２ａを有するケース２を備えている。このケース２には、内気導入口３と、外気導入口４と、半内気導入口５と、排出口６とが設けられている。
【００１１】
内気導入口３は、ケース２の側面の一部を開口する形で設けられ、外気導入口４は、ケース２の上面の一部を開口する形で設けられ、半内気導入口５は、内気導入口３と対向するケース２の側面の一部を開口する形で設けられ、そして、排出口６は、ケース２の底面の一部を開口する形で設けられている。半内気導入口５は、可撓性を有する半内気ドア１０が設けられており、外気をケース２内に取り込むときに、内気の一部をケース２内に取り込むための開口である。
【００１２】
ケース２の内部には、内外気切替ドア７が設けられている。内外気切替ドア７は、ロータリ型ドアから構成されていて、回転軸７ａを中心にして図示しない駆動機構により回動できるように構成されている。内外気切替ドア７は、回動により、内気導入口３を開放しかつ外気導入口４を閉止する姿勢と、内気導入口３を閉止しかつ外気導入口４を開放する姿勢とに変位する。
【００１３】
図１に示すように、内外気切替ドア７が外気導入口４を閉止した状態に回動したときは、内気導入口３から内気をケース２内に取り込み（矢印（Ｘ１）参照）、また、内外気切替ドア７が内気導入口３を閉止した状態に回動したときは、外気導入口４から外気をケース２内に取り込む（矢印（Ｘ２）参照）。なお、この内外気切替ドア７は、内気導入口３及び外気導入口４を上述のように択一的に選択できる構造であれば、プレート型ドアとすることもできる。
【００１４】
また、車両用空気調和装置Ｓは、ケース２の内部（空気流路２ａ）に空気の流れを形成する送風機９を備えている。この送風機９は、遠心型送風機であり、内外気切替装置１の下方に配置されている。送風機９は、内外気切替装置１のケース２と接続されると共に所定の開口を有する中空のケース９ａと、ケース９ａの内部に設置されるシロッコファン９ｂと、このシロッコファン９ｂを回転駆動するモータ９ｃとを備えている。
【００１５】
ケース９ａは、シロッコファン９ｂを収容する中央部９ａ１と、この中央部９ａ１を取り巻くように巻回されるスクロール流路９ａ２を有している。なお、スクロール流路９ａ２の下流側は、調和空気生成部（クーラユニット及びヒータユニット）に接続されている。この送風機９よりも上流側の空気流路２ａには、集塵フィルタ８と、脱臭フィルタ１１と、光源１２と、が設けられている。
【００１６】
集塵フィルタ８は、ケース２内に取り込まれた空気に含まれる粉塵を除去する機能を有する不織布フィルタであり、排出口６を塞ぐように設けられている。この集塵フィルタ８は、ひだ折りされており、複数のひだ部８ａを備える。脱臭フィルタ１１は、空気流路２ａにおいて集塵フィルタ８の下流側に配置されている。この脱臭フィルタ１１は、光触媒を担持したメッシュ状のフィルタである。光触媒は、酸化チタンや酸化亜鉛等の金属酸化物の粉末からなる。
【００１７】
光源１２は、空気流路２ａにおいて脱臭フィルタ１１の下流側に配置されている。この光源１２は、脱臭フィルタ１１に担持された光触媒を活性化させる光Ｌを照射し、光触媒の酸化分解、殺菌作用を発揮させるものである。この光源１２としては、ＬＥＤランプ、水銀灯、陰極管（ＣＦＬ）、ブラックライト、冷陰極管（ＣＣＦＬ）、キセノン外面電極ランプ等を例示することができる。光源１２は、棒状に形成され、空気流路２ａを横切るように２本平行に配置されている。なお、光源１２は、リング状に形成されてもよい。
【００１８】
集塵フィルタ８は、反射材１３を担持している。反射材１３は、脱臭フィルタ１１のメッシュ目を通り抜けた光Ｌ２を、脱臭フィルタ１１に向けて反射するものである。この反射材１３は、銅、銀、アルミ等の合金であって、集塵フィルタ８の下流側の面に蒸着したものである。反射材１３は、集塵フィルタ８の全面に担持させてもよいが、集塵フィルタ８の通風路を阻害しないように、例えば、ひだ部８ａの谷部（空気流路２ａの下流側に向かって突出した先端部）等に部分的に担持させることが好ましい。なお、反射材１３は、粒子状にして、集塵フィルタ８の全面に分散させてもよい。
【００１９】
このように構成された車両用空気調和装置Ｓにおいては、空気流路２ａにおいて脱臭フィルタ１１の下流側に配置された光源１２から光Ｌを照射し、脱臭フィルタ１１の一方の面１１ａに光Ｌ１（直接光）を照射すると共に、その脱臭フィルタ１１を通り抜けた光Ｌ２を、脱臭フィルタ１１の上流側に配置された集塵フィルタ８に担持された反射材１３で反射することで、脱臭フィルタ１１の他方の面１１ｂにも光Ｌ２（反射光）を照射する。これにより、脱臭フィルタ１１の上流側に光源１２を追加することなく、脱臭フィルタ１１の両面に光Ｌを照射し、光触媒を活性化させることができるため、脱臭効率を向上させることができる。
【００２０】
また、光源１２は、集塵フィルタ８の下流側に配置されているので、塵や埃等の付着を抑止でき、その汚れの付着による光量の低下を防止できる。また、集塵フィルタ８と脱臭フィルタ１１との間には隙間があるため、脱臭フィルタ１１のひだ部８ａで乱反射した光Ｌ２が光触媒に当たり、脱臭フィルタ１１の他方の面１１ｂに担持された光触媒をより活性化することができる。さらに、反射材１３は、銅、銀、アルミ等の金属材であるため、反射材１３を担持した集塵フィルタ８自体にも抗菌効果を持たせることができる。
【００２１】
このように、上述の本実施形態によれば、内部に空気流路２ａを有するケース２と、空気流路２ａに空気の流れを形成する送風機９と、空気流路２ａに配置された集塵フィルタ８と、空気流路２ａにおいて集塵フィルタ８の下流側に配置され、光触媒を担持した脱臭フィルタ１１と、空気流路２ａにおいて脱臭フィルタ１１の下流側に配置され、光触媒を活性化する光Ｌを照射する光源１２と、集塵フィルタ８に担持され、脱臭フィルタ１１を通り抜けた光Ｌ２を、脱臭フィルタ１１に向けて反射する反射材１３と、を備える車両用空気調和装置Ｓを採用することによって、低コストで光触媒による脱臭効率を向上させることができる。
【００２２】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【符号の説明】
【００２３】
１…内外気切替装置、２…ケース、２ａ…空気流路、８…集塵フィルタ、９…送風機、１１…脱臭フィルタ、１２…光源、１３…反射材、Ｌ…光、Ｓ…車両用空気調和装置
【図１】
2017171081.tif 000003